(57)【特許請求の範囲】
【請求項１】
箱形の筐体の左右側面と背面に、空気吸込口を設け、上面に空気吹出口を設け、前記空気吸込口の内側に熱交換器を配置し、前記空気吹出口に送風ファンを配置し、正面の内側に電装品箱を収容し、正面に電装品箱を取り出すための正面パネルを設けてなる空気調和機の室外機において、前記筐体には、正面側と背面側にそれぞれ２本ずつの支柱を有し、前記正面側左右の支柱のうち、一方の支柱は、前記電装品箱を側方へ引き出し可能なように正面側の角部から前記電装品箱の厚さの分だけ背面側へ後退して設け、他方の支柱は、前記筐体の側面から正面にかけての角部の一部をカットするように斜めの支柱としたことを特徴とする空気調和機の室外機。
【請求項２】
斜めの支柱に、多数の空気吸込窓を設けたことを特徴とする請求項１記載の空気調和機の室外機。
【請求項３】
正面側の一方の支柱は、平板状で、かつ、両側縁部を内側に屈曲したものからなり、他方の斜めの支柱は、平板状で、かつ、両側縁部を内側に屈曲したものからなり、背面側の支柱は、平板状で、かつ、両側縁部を側面側と背面側に屈曲したものからなることを特徴とする請求項１又は２記載の空気調和機の室外機。
【請求項４】
他方の斜めの支柱の内側に熱交換器を延長して配置したことを特徴とする請求項１、２又は３記載の空気調和機の室外機。
【請求項５】
４本の支柱の下端部を底板に連結し、前記４本の支柱の上端部に回り縁を連結し、正面側の左右の支柱の中間部に中桟を連結して骨組みを形成したことを特徴とする請求項１、２，３又は４記載の空気調和機の室外機。
【発明の詳細な説明】
【技術分野】
【０００１】
本発明は、ビル等において用いられる大型空気調和機の室外機に関するものであり、特に、両側面及び背面の３面に空気吸込口を備え、上面に吹出口を備えた筐体内に、前記空気吸込口に対向させて熱交換器を設け、かつ、前記吹出口に対向させて送風ファンを設けた構造からなる室外機に関するものである。
【背景技術】
【０００２】
この種空気調和機の室外機の構成要素としては、主に、熱交換器、圧縮機室、電装品箱、送風ファンなどが挙げられ、様々な構成ものが提案されてきた。
例えば、特許文献１には、前後に空気吸込口を有し、上面に吹出口を有する空気調和機の室外機において、正面両側に立設したやや幅広の支柱に、透孔を設け、空気の吸い込み量を増やすようにした発明が開示されている。
【０００３】
また、特許文献２には、箱形筐体の４隅にそれぞれ支柱を取り付けた空気調和機の室外機が記載され、筐体の３側面に対向するように、断面がコ字形状の熱交換器を配置した構成となっている。
【特許文献１】特開平１１−９４３０８号公報
【特許文献２】特開２００４−８５１６５号公報
【発明の開示】
【発明が解決しようとする課題】
【０００４】
特許文献１記載の空気調和機の室外機は、熱交換器が前後にのみ配置されており、コンパクト化と効率化の点で十分とはいえない。
また、特許文献２記載の空気調和機の室外機は、コ字形の熱交換器が両側面と背面に配置され、やや改善されている。しかるに、室外機においては、出荷時や故障時には、電装品箱内部のチェックが必要になり、また、工場からの出荷時に溶接やシール洩れによる冷媒のリークチェックや、修理の際にセンサー類や電磁弁のチェックが必要となる。そのため、熱交換器に接続された冷媒管や電磁弁の取り付けられた個所を外部から観察できるように構成する必要がある。この発明では、コンパクト化のために両側面と背面に、コ字形の熱交換器が配置されているが、一般に、正面側下部には、圧縮機室が設けられ、正面側上部には、電装品箱が配置されており、かつ、上面には、送風ファンが設けられていることから、簡単に内部をチェックできない構成となっている。
【０００５】
本発明は、上記問題点に鑑みなされたものであり、熱交換器の取付面積を可能な限り大きくしながら、筐体の機械的強度を確保し、また、全体のコンパクト化を図り、工場からの出荷時や取付後に溶接やシール洩れによる冷媒のリークチェックや、修理の際にセンサー類や電磁弁のチェックを簡単に行うことが可能な空気調和機の室外機を提供することを目的とするものである。
【課題を解決するための手段】
【０００６】  本発明の請求項１は、箱形の筐体の左右側面と背面に、空気吸込口を設け、上面に空気吹出口を設け、前記空気吸込口の内側に熱交換器を配置し、前記空気吹出口に送風ファンを配置し、正面の内側に電装品箱を収容し、正面に電装品箱を取り出すための正面パネルを設けてなる空気調和機の室外機において、前記筐体には、正面側と背面側にそれぞれ２本ずつの支柱を有し、前記正面側左右の支柱のうち、一方の支柱は、前記電装品箱を側方へ引き出し可能なように正面側の角部から前記電装品箱の厚さの分だけ背面側へ後退して設け、他方の支柱は、前記筐体の側面から正面にかけての角部の一部をカットするように斜めの支柱としたことを特徴とする空気調和機の室外機である。【０００７】
本発明の請求項２は、斜めの支柱に、多数の空気吸込窓を設けたことを特徴とする。
【０００８】
本発明の請求項３は、正面側の一方の支柱は、平板状で、かつ、両側縁部を内側に屈曲したものからなり、他方の斜めの支柱は、平板状で、かつ、両側縁部を内側に屈曲したものからなり、背面側の支柱は、平板状で、かつ、両側縁部を側面側と背面側に屈曲したものからなることを特徴とする。
【０００９】
本発明の請求項４は、他方の斜めの支柱の内側に熱交換器を延長して配置したことを特徴とする。
【００１０】
本発明の請求項５は、４本の支柱の下端部を底板に連結し、前記４本の支柱の上端部に回り縁を連結し、正面側の左右の支柱の中間部に中桟を連結して骨組みを形成したことを特徴とする。
【発明の効果】
【００１１】  請求項１記載の発明によれば、箱形の筐体の左右側面と背面に、空気吸込口を設け、上面に空気吹出口を設け、前記空気吸込口の内側に熱交換器を配置し、前記空気吹出口に送風ファンを配置し、正面の内側に電装品箱を収容し、正面に電装品箱を取り出すための正面パネルを設けてなる空気調和機の室外機において、前記筐体には、正面側と背面側にそれぞれ２本ずつの支柱を有し、前記正面側左右の支柱のうち、一方の支柱は、前記電装品箱を側方へ引き出し可能なように正面側の角部から前記電装品箱の厚さの分だけ背面側へ後退して設け、他方の支柱は、前記筐体の側面から正面にかけての角部の一部をカットするように斜めの支柱としたので、熱交換器の取付面積を可能な限り大きくしながら、筐体の機械的強度を確保し、また、全体のコンパクト化を図り、工場からの出荷時に溶接やシール洩れによる冷媒のリークチェックや、修理の際にセンサー類や電磁弁のチェックを簡単に行うことができる。【００１２】
請求項２記載の発明によれば、斜めの支柱に、多数の空気吸込窓を設けたので、筐体の機械的強度を確保しながら、熱交換器への十分な空気吸い込みができる。
【００１３】
請求項３記載の発明によれば、正面側の一方の支柱は、平板状で、かつ、両側縁部を内側に屈曲したものからなり、他方の斜めの支柱は、平板状で、かつ、両側縁部を内側に屈曲したものからなり、背面側の支柱は、平板状で、かつ、両側縁部を側面側と背面側に屈曲したものからなるので、支柱は鉄板のプレス加工によって製造でき、軽量で安価な室外機を提供できる。
【００１４】
請求項４記載の発明によれば、他方の斜めの支柱の内側に熱交換器を延長して配置したので、熱交換器の取付面積をより一層大きくでき、より効率的、よりコンパクト化が達成できる。
【００１５】
請求項５記載の発明によれば、４本の支柱の下端部を底板に連結し、前記４本の支柱の上端部に回り縁を連結し、正面側の左右の支柱の中間部に中桟を連結して骨組みを形成したので、強度のある筐体を構成でき、また、空気取り込みの空間をより大きくでき、熱交換器の取付面積をより一層大きくすることができる。
【発明を実施するための最良の形態】
【００１６】  本発明は、箱形の筐体の左右側面と背面に、空気吸込口を設け、上面に空気吹出口を設け、前記空気吸込口の内側に熱交換器を配置し、前記空気吹出口に送風ファンを配置し、正面の内側に電装品箱を収容し、正面に電装品箱を取り出すための正面パネルを設けてなる空気調和機の室外機において、前記筐体には、正面側と背面側にそれぞれ２本ずつの支柱を有し、前記正面側左右の支柱のうち、一方の支柱は、前記電装品箱を側方へ引き出し可能なように正面側の角部から前記電装品箱の厚さの分だけ背面側へ後退して設け、他方の支柱は、前記筐体の側面から正面にかけての角部の一部をカットするように斜めの支柱としたことを特徴とする。【００１７】
前記斜めの支柱には、筐体の強度を損なわない範囲で多数の空気吸込窓を設ける。また、正面側の一方の支柱は、平板状で、かつ、両側縁部を内側に屈曲したものからなり、他方の斜めの支柱は、平板状で、かつ、両側縁部を内側に屈曲したものからなり、背面側の支柱は、平板状で、かつ、両側縁部を側面側と背面側に屈曲したものからなる。
他方の斜めの支柱の内側には、熱交換器を延長して配置することができる。
筐体の骨組みは、４本の支柱の下端部を底板に連結し、前記４本の支柱の上端部に回り縁を連結し、正面側の左右の支柱の中間部に中桟を連結して形成する。
【実施例】
【００１８】
本発明の実施の形態を図面に基づいて説明する。図１及び図２に示すのは、本発明による室外機１０を表した斜視図である。図１及び図２に示すように、本発明の室外機１０は、略直方体形の箱形の筐体１１からなり、両側面と背面に空気吸込口１２が設けられ、上面の空気吹出口に望ませて送風ファン１３が設けられており、正面は、上側カバー１４と下側カバー１５とで覆われている。筐体１１の内部には、前記空気吸込口１２に対向させて上から下まで平面から見てコ字形の熱交換器１６が配置され、前記下側カバー１５の内側で熱交換器１６の内側には圧縮機等を設置した圧縮機室１７が設けられている。筐体１１の正面及び側面の下側には、冷媒管等の配管を接続するための配管用孔１８が設けられている。
【００１９】
また、正面に設けられた前記上側カバー１４の内側には、電装品１９を収容した電装品箱２０が設けられている。この電装品箱２０は、側面方向に向かってスライド移動する構造となっている。
【００２０】  図６に示すのは、本発明の室外機１０の骨組みを表した斜視図である。この図６に示すように、本発明の室外機１０の骨組みは、底板２１の上に４本の支柱２２〜２５が設けられ、上面は回り縁２６が設けられ、正面側の支柱２２と２３の中間部に中桟３４が結合された構造となっている。このうち、正面から見て左側の一方の支柱２３は、電装品箱２０をスライド移動させるためのスペースが必要であるため、正面側の角部から前記電装品箱の厚さの分だけ背面側へ後退して設けた構成となっている。また、正面から見て右側の他方の支柱２２は、前記筐体の側面から正面にかけての角部の一部をカットするように概略４５°の角度をもって形成された斜めの支柱となっており、上から下まで空気吸込窓２７が設けられている。【００２１】
図７（ａ）に示すのは、本発明の室外機１０の内部に設けられる熱交換器１６の構成を表した斜視図である。熱交換器１６は多数のフィン及びチューブ（冷媒管）で構成されており、本実施例の場合、高さ方向に高い構成であるため、２つの熱交換器１６ａ、１６ｂを、仕切板２８を介して重ね合わせて設置している。
この熱交換器１６は、図７（ｂ）に示すように、筐体１１の両側面及び背面に設けられた空気吸込口１２に対向するように横断面が概略コの字状をしており、また、概略４５°の角度をもって形成された斜めの支柱２２の内側に対向する部分は、斜めの支柱２２と同一角度となるように熱交換器１６を延長して屈曲させて構成されている。これにより、コンパクト化を図りながら熱交換効率の向上を同時に実現することを可能としている。
【００２２】  図８に示すのは、以上のように構成した場合の本発明の室外機１０の横断面図である。この図８に示すように、正面の上側カバー１４の内側にスライド可能な電装品箱２０が設置され、この電装品箱２０を左側にスライドさせた場合に邪魔にならないように支柱２３が正面側の角部から前記電装品箱の厚さの分だけ背面側に逃がして設けられている。また、正面から見て他方の角部分に設けられた斜めの支柱２２は、概略４５°の角度をもって形成されて取り付けられており、この斜めの支柱２２部分に対向する熱交換器１６の一端部分は、支柱２２と同一角度となるように屈曲させて構成されている。【００２３】
この図８において、一方の支柱２３の内側に屈曲した縁部３８に、熱交換器１６の端部の配管支持板３５を空気が吸い込まないように密着して固定し、また、同様に、他方の支柱２２の内側に屈曲した縁部３７に、熱交換器１６の端部の配管支持板３６を空気が吸い込まないように密着して固定する。このことにより、熱交換器１６に流入する空気は、必ず空気吸込口１２から流入して熱交換器１６を経て内部に入っており、支柱２２，２３との連結部、その他の流入経路からは空気が入らないように構成しているため、熱交換効率の向上に繋がる。
【００２４】
次に、電装品箱２０のスライド構造について、図面を用いて詳細に説明する。図３に示すものは、本発明による室外機１０における電装品箱２０の吊り下げ構造を表した分解斜視図である。この図３に示すように、電装品箱２０の内部には様々な電装品１９が収容され、スライド可能な電装品箱２０を図の状態に戻して上蓋２９とともにネジ止めによって固定される。
この電装品箱２０の上部には垂直上方に突出した平板部３０が形成されており、この平板部３０の端部のやや内側部分には、平板部３０に対して直角の方向に折り曲がり、かつ先端が下方に屈曲した吊下げフック３１が形成されている。
【００２５】
他方、図３及び図４（ａ）に示すように、電装品箱２０が吊り下げられる筐体１１側には、前記吊下げフック３１を挿し込むための窓状のスライドレール部３２が形成されている。このスライドレール部３２に対して、図４（ｂ）に示すように、前記吊下げフック３１を挿し込んで吊り下げた状態で、電装品箱２０は筐体１１内に収容され、前記平板部３０及び筐体１１に設けられたネジ穴に対してネジ止めすることで固定される。
【００２６】
そして、工場からの出荷時や取付後に溶接やシール洩れによる冷媒のリークチェックや、修理の際にセンサー類や電磁弁のチェックを行う場合には、ネジを外した上で、電装品箱２０を左方向にスライド移動させることで、図１に示すように、正面から室外機１０の内部を観察できる隙間が生じ、前記チェック作業を行うことが可能となる。このスライド移動の際、電装品箱２０が必要以上にスライドされて不安定となることを防ぐために、スライドレール部３２の一部にストッパ３３が形成されている。
図５に示すように、同一形状の室外機１０を２台以上併設した場合において、斜めの支柱２２が筐体の側面から正面にかけての角部の一部をカットするように取り付けられているので、電装品箱２０をスライド移動したときの邪魔にならず、隣接する室外機１０を小さな隙間で設置できる。
【００２７】
なお、電装品箱２０を吊下げフック３１によってのみ支える構成とすると、吊下げフック３１にのみ荷重がかかってしまうので、電装品箱２０を吊下げフック３１に吊り上げた状態において電装品箱２０の下面を筐体１１側の中桟３４に当接して荷重を軽減するように、スライド補助板（図示省略）を設けるようにしてもよい。
【００２８】
前期実施例では、熱交換器１９を一方の支柱２３の内側まで延長したが、他方の支柱２２の内側にも延長する空間があれば延長してもよい。この場合、他方の支柱２２にも空気吸込窓を設けることが必要である。
【００２９】
前期実施例では、筐体１１を略立方体とし、送風ファン１３を１台だけ取り付けたものを例示したが、筐体１１を略直方体とし、送風ファン１３を２台以上取り付けたものであってもよい。
【図面の簡単な説明】
【００３０】
【図１】本発明による室外機１０を表した分解斜視図である。
【図２】本発明による室外機１０の一部を切り欠いた状態を表した斜視図である。
【図３】本発明による室外機１０における電装品箱２０の吊り下げ構造を表した分解斜視図である。
【図４】（ａ）は、電装品箱２０の吊り下げ構造を表した正面図であり、（ｂ）は、Ａ−Ａ’線での断面図である。
【図５】本発明による室外機１０を複数設置した場合を表した上面図である。
【図６】本発明の室外機１０の枠組みを表した斜視図である。
【図７】本発明の室外機１０の内部に設けられる熱交換器１６の構成を表した斜視図である。
【図８】本発明による室外機１０の横断面図である。
【符号の説明】
【００３１】
１０…室外機、１１…筐体、１２…空気吸込口、１３…送風ファン、１４…上側カバー、１５…下側カバー、１６…熱交換器、１７…圧縮機室、１８…配管用孔、１９…電装品、２０…電装品箱、２１…底板、２２〜２５…支柱、２６…回り縁、２７…空気吸込窓、２８…仕切板、２９…上蓋、３０…平板部、３１…吊下げフック、３２…スライドレール部、３３…ストッパ、３４…中桟、３５…配管支持板、３６…配管支持板、３７…支柱の縁部、３８…支柱の縁部。
【図１】
0004918902.tif 000002
【図２】
0004918902.tif 000003
【図３】
0004918902.tif 000004
【図４】
0004918902.tif 000005
【図５】
0004918902.tif 000006
【図６】
0004918902.tif 000007
【図７】
0004918902.tif 000008
【図８】
0004918902.tif 000009